(57)【要約】【課題】ユーザに応じて接眼鏡筒を取り替える必要のない眼科顕微鏡システムを提供する。【解決手段】実施形態は、被検眼の画像を立体観察するための眼科顕微鏡システムであって、左光学系と、右光学系と、表示制御部と、選択提示部とを含む。左光学系は、被検眼からの光を左撮像素子に導く。右光学系は、被検眼からの光を右撮像素子に導く。左撮像素子及び右撮像素子は、左撮像素子の受光面の法線方向と右撮像素子の受光面の法線方向とが被検眼側において交差するように配置可能である。表示制御部は、左撮像素子により取得された左画像と右撮像素子により取得された右画像とを瞳孔間距離の既定値に対応する位置関係で表示手段に表示させる。選択提示部は、表示手段に表示された左画像を観察者の左眼に向けて提示し、右画像を右眼に向けて提示する。【選択図】図７Ｂ
2019107552.tif 000002
【特許請求の範囲】
【請求項１】
被検眼の画像を立体観察するための眼科顕微鏡システムであって、
被検眼からの光を左撮像素子に導く左光学系と、
被検眼からの光を右撮像素子に導く右光学系と、
前記左撮像素子により取得された左画像と前記右撮像素子により取得された右画像とを瞳孔間距離の既定値に対応する位置関係で表示手段に表示させる表示制御部と、
前記表示手段に表示された前記左画像を観察者の左眼に向けて提示し、かつ、前記表示手段に表示された前記右画像を右眼に向けて提示するための選択提示部と
を備え、
前記左撮像素子及び前記右撮像素子は、前記左撮像素子の受光面の法線方向と前記右撮像素子の受光面の法線方向とが被検眼側において交差するように配置可能である
ことを特徴とする眼科顕微鏡システム。
【請求項２】
前記左光学系の光軸に対する前記左撮像素子の受光面の法線方向の傾斜角度と、前記右光学系の光軸に対する前記右撮像素子の受光面の法線方向の傾斜角度とは、互いに等しい
ことを特徴とする請求項１に記載の眼科顕微鏡システム。
【請求項３】
前記傾斜角度を変更するための制御を行う制御部を備える
ことを特徴とする請求項２に記載の眼科顕微鏡システム。
【請求項４】
観察者毎の傾斜角度を記憶する手段を備え、
前記制御部は、入力された観察者識別情報に対応する傾斜角度に基づき前記制御を行う
ことを特徴とする請求項３に記載の眼科顕微鏡システム。
【発明の詳細な説明】
【技術分野】
【０００１】
この発明は、眼科顕微鏡システムに関する。
【背景技術】
【０００２】
眼科分野ではスリットランプ顕微鏡や手術用顕微鏡等の各種顕微鏡が使用される。眼科顕微鏡は、一般に、左右一対の観察光路を有する実体顕微鏡である。眼科顕微鏡の左右の接眼鏡筒には、平行視タイプと内方視タイプとがある。平行視タイプにおいては、左右の接眼レンズの光軸が平行に配置されている。内方視タイプにおいては、左右の接眼レンズの光軸が前方に向かって狭まるように非平行に配置されている。ユーザは、自身が立体視をしやすいタイプを選択して使用する。
【先行技術文献】
【特許文献】
【０００３】
【特許文献１】特開２００１−３１１８７６号公報
【発明の概要】
【発明が解決しようとする課題】
【０００４】
眼科顕微鏡を複数のユーザが共用する場合がある。その場合、ユーザが替わる度に接眼鏡筒を交換するという煩わしさがあった。
【０００５】
この発明の目的は、ユーザに応じて接眼鏡筒を取り替える必要のない眼科顕微鏡システムを提供することにある。
【課題を解決するための手段】
【０００６】
実施形態は、被検眼の画像を立体観察するための眼科顕微鏡システムであって、被検眼からの光を左撮像素子に導く左光学系と、被検眼からの光を右撮像素子に導く右光学系と、前記左撮像素子により取得された左画像と前記右撮像素子により取得された右画像とを瞳孔間距離の既定値に対応する位置関係で表示手段に表示させる表示制御部と、前記表示手段に表示された前記左画像を観察者の左眼に向けて提示し、かつ、前記表示手段に表示された前記右画像を右眼に向けて提示するための選択提示部とを備え、前記左撮像素子及び前記右撮像素子は、前記左撮像素子の受光面の法線方向と前記右撮像素子の受光面の法線方向とが被検眼側において交差するように配置可能であることを特徴とする。
【発明の効果】
【０００７】
この発明に係る眼科顕微鏡システムによれば、ユーザに応じて接眼鏡筒を取り替える必要がない。
【図面の簡単な説明】
【０００８】
【図１】実施形態に係る眼科顕微鏡システムの構成例を表す概略図である。
【図２】実施形態に係る眼科顕微鏡システムの構成例を表す概略図である。
【図３】実施形態に係る眼科顕微鏡システムの構成例を表す概略図である。
【図４】実施形態に係る眼科顕微鏡システムの動作例を説明するための概略図である。
【図５】実施形態に係る眼科顕微鏡システムの動作例を説明するための概略図である。
【図６】実施形態に係る眼科顕微鏡システムの使用形態の例を説明するためのフローチャートである。
【図７Ａ】変形例に係る眼科顕微鏡システムを説明するための概略図である。
【図７Ｂ】変形例に係る眼科顕微鏡システムを説明するための概略図である。
【発明を実施するための形態】
【０００９】
実施形態に係る眼科顕微鏡システムについて、図面を参照しながら詳細に説明する。以下の実施形態の眼科顕微鏡システムはスリットランプ顕微鏡を含むが、他種の眼科顕微鏡を含んでいてもよい。なお、以下の実施形態において、この明細書にて引用された文献の内容を任意に援用することが可能である。
【００１０】
［構成］
眼科顕微鏡システム１の構成例を図１に示す。眼科顕微鏡システム１の光学系は、観察系６と照明系８を含む。これら以外にも、例えば背景照明系などを含んでよい（図示省略）。
【００１１】
〔観察系〕
観察系６は左右一対の光学系６Ｌ及び６Ｒを備えている。左右の光学系６Ｌ及び６Ｒは同様の構成を有する。検者（観察者）は、左右の光学系６Ｌ及び６Ｒにより被検眼Ｅを双眼で観察（立体観察）することができる。更に、検者は、後述の撮像素子４３Ｌ及び４３Ｒによって取得された一対の画像を立体観察することができる。なお、図１には、観察系６の左右の光学系６Ｌ及び６Ｒの一方のみが示されている。符号Ｏ１は観察系６の光軸（観察光軸）である。
【００１２】
観察系６の左右の光学系６Ｌ及び６Ｒのそれぞれは、対物レンズ３１、変倍光学系３２、絞り３３、ビームスプリッタ３４、リレーレンズ３５、プリズム部３６及び接眼レンズ３７を有する。符号Ｅｃは被検眼Ｅの角膜を、符号Ｅｐは虹彩を、符号Ｅｒは眼底をそれぞれ示している。符号Ｅｏは検者眼を示している。
【００１３】
なお、他の実施形態においては、接眼レンズが設けられていなくてよい。すなわち、他の実施形態の眼科顕微鏡システムは、接眼レンズを介した目視観察を行うための構成を備えていなくてよい。このような実施形態では、検者は、表示された被検眼Ｅの画像を観察する。なお、接眼レンズが設けられない実施形態においては、光学系は、少なくとも対物レンズを備えており、結像レンズや変倍レンズを任意的に備えていてよい。
【００１４】
変倍光学系３２は、例えば、観察光軸Ｏ１に沿って相対的に移動可能な複数（例えば２枚）の変倍レンズ３２ａ、３２ｂを含む。変倍光学系３２の他の構成例は、異なる倍率を有する複数の変倍レンズ群と、これら変倍レンズ群を観察系６の光路に選択的に配置する機構とを含む。観察系６の光路に配置された変倍レンズ群が変倍光学系３２として機能する。変倍光学系３２により、被検眼Ｅの肉眼観察像や撮影画像の倍率（画角）が任意に変更される。
【００１５】
なお、他の実施形態は、変倍光学系３２を備えていなくてよい。その場合、いわゆるデジタルズーム機能によって観察画像が拡大される。デジタルズーム機能は、取得された画像の所定領域をトリミングする処理と、トリミングされた領域を拡大する処理とを含む。また、他の実施形態は、変倍光学系３２による光学ズーム機能と、デジタルズーム機能との双方を備えていてよい。
【００１６】
ビームスプリッタ３４は、観察光軸Ｏ１に沿って進む被検眼Ｅからの戻り光を二分割する。戻り光のうちビームスプリッタ３４を透過した成分は、リレーレンズ３５、プリズム部３６及び接眼レンズ３７を介して検者眼Ｅｏに導かれる。プリズム部３６は、例えば２つの光学素子３６ａ、３６ｂを含み、光の進行方向を上方に平行移動させつつ、倒立像を正立像に変換する。
【００１７】
他方、戻り光のうちビームスプリッタ３４により反射された成分は、結像レンズ４１及びミラー４２を介して撮像素子４３に導かれる。撮像素子４３は、この戻り光を検出して画像信号を生成する。撮像素子４３としては、例えばＣＣＤエリアセンサやＣＭＯＳエリアセンサが用いられる。
【００１８】
前述したように、撮像素子４３は左右の光学系６Ｌ及び６Ｒの双方に設けられる。左光学系６Ｌに設けられた左撮像素子４３Ｌは、左光学系６Ｌにより導かれた戻り光を検出して左画像信号４４Ｌを出力する。同様に、右光学系６Ｒに設けられた右撮像素子４３Ｒは、右光学系６Ｒにより導かれた戻り光を検出して右画像信号４４Ｒを出力する。
【００１９】
左画像信号４４Ｌと右画像信号４４Ｒは、制御部７４に入力される。制御部７４は、左画像信号４４Ｌに基づく左表示信号４５Ｌと、右画像信号４４Ｒに基づく右表示信号４５Ｒを表示装置７０に出力する。
【００２０】
表示装置７０には、左表示信号４５Ｌに基づく左表示画像７１Ｌと、右表示信号４５Ｒに基づく右表示画像７１Ｒがそれぞれ表示される（図４等を参照）。
【００２１】
なお、左右の光学系６Ｌ及び６Ｒの一方のみに撮像素子４３を設けた構成を適用することも可能である。その場合、左光学系６Ｌ又は右光学系６Ｒに設けられた撮像素子４３から出力された画像信号から左表示信号４５Ｌと右表示信号４５Ｒとが生成される。この信号生成処理は、単一の画像から立体画像を作成するための公知の画像処理技術を含む。
【００２２】
〔照明系〕
照明系８は、被検眼Ｅに照明光を照射する。特に、照明系８は、被検眼Ｅをスリット光で照明する。照明系８は、光源５１、リレーレンズ５２、照明絞り５３、集光レンズ５４、スリット形成部５５及び集光レンズ５６を含む。符号Ｏ２は、照明系８の光軸（照明光軸）を示す。スリット光の幅（スリット幅）はスリット形成部５５により変更され、スリット光の長さ（スリット長）は照明絞り５３により変更される。
【００２３】
〔表示装置〕
表示装置７０は、液晶ディスプレイ７１と、偏光フィルタ７２と、位置入力パネル７３とを備える。偏光フィルタ７２及び位置入力パネル７３は、液晶ディスプレイ７１の少なくとも表示面に設けられている。図２では、液晶ディスプレイ７１の表示面に偏光フィルタ７２の一面が配置され、偏光フィルタ７２の他面に位置入力パネル７３が配置されているが、液晶ディスプレイ７１の表示面に位置入力パネル７３の一面が配置され、位置入力パネル７３に偏光フィルタ７２が配置されてもよい。また、表示機能と位置入力機能とを有するタッチパネルの表示面に偏光フィルタ７２が配置されてもよい。
【００２４】
偏光フィルタ７２は、左偏光フィルタ７２Ｌと右偏光フィルタ７２Ｒとを備える。左偏光フィルタ７２Ｌの透過軸と右偏光フィルタ７２Ｒの透過軸とは異なる。典型的には、これら透過軸は互いに直交している。図２に示す例では、左偏光フィルタ７２Ｌの透過軸は上下方向（縦方向）であり、右偏光フィルタ７２Ｒの透過軸は左右方向（横方向）である。
【００２５】
なお、表示装置７０やそれに表示される情報の説明において、左方向（右方向）は、表示装置７０の表示面に向かって左（右）を示す。また、上下方向は、典型的には鉛直方向であるが、より一般に、表示面に臨む観察者の体軸方向（正中線方向）に実質的に一致する方向と定義してよい。この定義は、例えばタブレットのように姿勢を任意に変更可能な表示装置７０が用いられる場合などにも適用可能である。
【００２６】
更に、図２に示す例においては、表示面の左半分（左領域）に左偏光フィルタ７２Ｌが配置され、右半分（右領域）に右偏光フィルタ７２Ｒが配置されるように、偏光フィルタ７２が液晶ディスプレイ７１に配置されている。ここで、符号Ｃ１は、左領域と右領域との境界位置を示し、符号Ｃ２は、左右方向における左偏光フィルタ７２Ｌと右偏光フィルタ７２Ｒとの境界位置を示している。偏光フィルタ７２は、境界位置Ｃ２が境界位置Ｃ１に一致するように液晶ディスプレイ７１に装着される。したがって、液晶ディスプレイ７１の左領域から出力された光の上下方向の偏光成分のみが左偏光フィルタ７２Ｌを透過し、右領域から出力された光の左右方向の偏光成分のみが右偏光フィルタ７２Ｒを透過する。
【００２７】
〔制御系〕
眼科顕微鏡システム１の制御系の構成例を図３に示す。図３には、本実施形態において特に注目する構成要素のみが記載されている。制御部７４は、眼科顕微鏡システム１の各部を制御する。例えば、制御部７４は、各種情報を液晶ディスプレイ７１に表示させる。また、制御部７４は、液晶ディスプレイ７１に表示させる情報の生成処理や加工処理を行う。更に、眼科顕微鏡システム１は、記憶部７５と、検者ＩＤ入力部７６とを備える。なお、制御系を構成するこれらの要素はバス７７に接続されている。
【００２８】
制御部７４は、不図示のプロセッサと不図示の記憶装置（ＲＯＭ、ＲＡＭ等）を含む。プロセッサは、ＲＯＭに記録された制御プログラムにしたがって各種動作を実行する。ＲＡＭはプロセッサに一時的な作業領域を提供する。
【００２９】
制御部７４には、眼科顕微鏡システム１の各部から信号や情報が入力される。例えば、位置入力パネル７３に対してなされたタッチ操作の内容を示す操作信号が制御部７４に入力される。この操作信号を受けた制御部７４は、液晶ディスプレイ７１を制御することで、表示情報に当該タッチ操作を反映させる。例えば、位置入力パネル７３に対してスライド操作（ドラッグ操作）がなされた場合、制御部７４は、そのスライド方向に対応する方向に、そのスライド量に対応する距離だけ、情報の表示位置を移動させる。
【００３０】
制御部７４には、左撮像素子４３Ｌから出力された左画像信号４４Ｌと、右撮像素子４３Ｒから出力された右画像信号４４Ｒとが入力される。左撮像素子４３Ｌと右撮像素子４３Ｒにより同時に生成された左画像信号４４Ｌと右画像信号４４Ｒを「一対の画像信号」と呼ぶことがある。動画撮影が行われる場合、一対の画像信号は、同じタイミングに対応する左右のフレームに相当する。一対の画像信号が入力されたとき、制御部７４は、左画像信号４４Ｌに基づく左表示信号４５Ｌと、右画像信号４４Ｒに基づく右表示信号４５Ｒとを液晶ディスプレイ７１に送る。それにより、左表示信号４５Ｌに基づく左表示画像７１Ｌが表示面の左領域に表示され、かつ、右表示信号４５Ｒに基づく右表示画像７１Ｒが表示面の右領域に表示される。
【００３１】
画像表示処理についてより詳しく説明する。記憶部７５には、瞳孔間距離の既定値が少なくとも１つ記憶されている。瞳孔間距離の既定値の典型的な例として、標準的な値（平均値等。人種や性別や年齢等の属性毎の標準値が含まれてよい。）や、眼科顕微鏡システム１の１以上のユーザについての測定値がある。測定値は、例えば、所定の表示画面を用いて入力されるか、或いは、医師等に関する情報を格納したデータベースから取得される。また、記憶部７５は、立体視の態様を示す情報（立体視態様情報）を記憶していてもよい。立体視態様情報は、例えば、平行視を示す情報、内方視を示す情報、内方視の程度（例えば、輻輳角又はそれに相当する角度情報）などがある。
【００３２】
特に２以上のユーザが存在する場合には、ユーザの識別情報（検者ＩＤ）と瞳孔間距離の測定値とが関連付けて記憶される（立体視態様情報についても同様であってよい）。検者ＩＤ入力部７６は、制御部７４に検者ＩＤを入力する。検者ＩＤ入力部７６は、検者のＩＤカードに記録された情報（検者ＩＤ）を読み取るリーダを含んでいてよい。或いは、検者ＩＤ入力部７６は、検者ＩＤを手入力するためのキーボードやテンキーや端末を含んでよい。検者ＩＤ入力部７６から検者ＩＤが入力されると、制御部７４は、この検者ＩＤに関連付けられた瞳孔間距離の測定値（及び立体視態様情報）を記憶部７５から読み出す。
【００３３】
上記の要領で瞳孔間距離の既定値が取得されると、制御部７４は、この既定値（及び立体視態様情報）に対応する表示位置情報を求める。表示位置情報は、液晶ディスプレイ７１に表示される左表示画像７１Ｌ及び右表示画像７１Ｒのそれぞれの表示位置を示す。ここで、左表示画像７１Ｌは表示面の左領域に表示され、右表示画像７１Ｒは右領域に表示される。瞳孔間距離の既定値（及び立体視態様情報）から表示位置情報を求める処理は、所定の制御プログラムにしたがって実行される。
【００３４】
典型的な例として、取得された瞳孔間距離の既定値と等しい距離だけ左右方向に離れた位置に、左表示画像７１Ｌと右表示画像７１Ｒとを表示させることができる。左表示画像７１Ｌの表示位置と右表示画像７１Ｒとの表示位置との中心位置は境界位置Ｃ１であってよい。或いは、液晶ディスプレイ７１の表示面に対する検者の位置を検知するためのセンサが設けられている場合には、検知された検者の位置の正面位置に、両画像の中心位置が配置されるように左表示画像７１Ｌと右表示画像７１Ｒとを表示させることができる。第１の例による表示態様は平行視タイプに相当する。すなわち、図４に示すように、検者の左眼ＥｏＬ（の瞳孔中心）と右眼ＥｏＲ（の瞳孔中心）との間隔を示す瞳孔間距離と、液晶ディスプレイ７１に表示される左表示画像７１Ｌと右表示画像７１Ｒとの間の距離が等しい。この場合、左眼ＥｏＬと右眼ＥｏＲはそれぞれ真っ直ぐ前を見ているので、検者の輻輳角は０°である。
【００３５】
なお、符号９０は、検者が装用している偏光メガネ９０を示す。偏光メガネ９０は、左眼ＥｏＬに適用される左偏光レンズ９０Ｌと、右眼ＥｏＲに適用される右偏光レンズ９０Ｒとを備える。検者が偏光メガネ９０を装用して液晶ディスプレイ７１の表示面に正対した状態において（つまり、液晶ディスプレイ７１の境界位置Ｃ１と、偏光メガネ９０の左右方向の中心位置Ｃ３とが実質的に一致している状態において）、左偏光レンズ９０Ｌの透過軸は左偏光フィルタ７２Ｌの透過軸と実質的に平行となり、右偏光レンズ９０Ｒの透過軸は右偏光フィルタ７２Ｒの透過軸と実質的に平行となる。図４に示す例においては、左偏光レンズ９０Ｌの透過軸及び左偏光フィルタ７２Ｌの透過軸はともに上下方向（縦方向）であり、右偏光レンズ９０Ｒの透過軸及び右偏光フィルタ７２Ｒの透過軸はともに左右方向（横方向）である。よって、左眼ＥｏＬは左表示画像７１Ｌのみを認識し、右眼ＥｏＲは右表示画像７１Ｒのみを認識する。
【００３６】
図４に示す輻輳角０°の状態から、検者が位置入力パネル７３に対して画像間隔を変更するための操作（スライド操作、ピンチ操作等）を行うと、制御部７４は操作信号を取得し、左表示画像７１Ｌと右表示画像７１Ｒとの表示間隔を狭めたり広げたりする。このとき、制御部７４は、左右方向における左表示画像７１Ｌの表示位置と右表示画像７１Ｒの表示位置との中心位置が維持されるように、左表示画像７１Ｌと右表示画像７１Ｒとを移動させることができる。
【００３７】
図４に示す状態から左表示画像７１Ｌと右表示画像７１Ｒとの表示間隔が狭められた状態の例を図５に示す。図５は、左表示画像７１Ｌが図４に示す表示位置から矢印Ｙ１方向（右方向）に移動され、かつ、右表示画像７１Ｒが図４に示す表示位置から矢印Ｙ２方向（左方向）に移動された状態を表す。ここで、左表示画像７１Ｌの移動距離と右表示画像７１Ｒの移動距離とは等しい。その結果、左表示画像７１Ｌと右表示画像７１Ｒとの間隔が、図４に示す状態における間隔（瞳孔間距離の既定値に等しい）よりも狭くなる。このような左表示画像７１Ｌ及び右表示画像７１Ｒがそれぞれ左眼ＥｏＬ及び右眼ＥｏＲに提示されると、左眼ＥｏＬ及び右眼ＥｏＲに輻輳が生じる。その際の輻輳角をα°で示す（α≠０）。検者は、位置入力パネル７３に対するタッチ操作を繰り返して左表示画像７１Ｌと右表示画像７１Ｒとの間隔を調整することにより、それらを立体視できる表示位置を探索したり、立体感を調整したりすることができる。
【００３８】
なお、左眼ＥｏＬに右表示画像７１Ｒが提示され、かつ、右眼ＥｏＲに左表示画像７１Ｌが提示されるように、左偏光レンズ９０Ｌと右偏光レンズ９０Ｒとを入れ替えてもよい。
【００３９】
［使用形態］
眼科顕微鏡システム１の使用形態の例を図６に示す。なお、記憶部７５には、検者ＩＤと瞳孔間距離の測定値との組み合わせが複数記憶されているものとする。なお、このような情報が予め記憶されていない場合や、新規の検者や患者等がシステムを使用する場合などには、検者ＩＤを入力する代わりに、瞳孔間距離の測定値や当該者の属性などを入力することができる。或いは、デフォルト値（上記の標準値等）を適用することも可能である。
【００４０】
（Ｓ１：検者ＩＤを入力する）
まず、検者ＩＤ入力部７６が制御部７４に検者ＩＤを入力する。
【００４１】
（Ｓ２：左右の画像の間隔を決定する）
制御部７４は、ステップＳ１で入力された検者ＩＤに関連付けられた瞳孔間距離の測定値（既定値）を記憶部７５から取得する。更に、制御部７４は、取得された測定値に基づいて、左表示画像と右表示画像との間隔（位置関係）を決定する。
【００４２】
（Ｓ３：被検眼の撮影を開始する）
所定の撮影開始指示を受けて、制御部７４は、被検眼Ｅの撮影を開始させる。この制御は、照明系８の光源５１の点灯、照明絞り５３の調整（スリット長の設定）、スリット形成部５５の調整（スリット幅の設定）などを含む。なお、撮影の準備として、被検者の顔の固定、被検眼Ｅに対する装置の位置合わせ、観察系６及び照明系８の位置（観察角度、照明角度）の設定などが行われる。本例では、被検眼Ｅの動画撮影が行われる。静止画撮影の場合においても以下と同様の処理を適用できる。
【００４３】
（Ｓ４：左右の画像の表示を開始する）
制御部７４は、左撮像素子４３Ｌから出力された左画像信号４４Ｌに基づく左表示画像７１Ｌと、右撮像素子４３Ｒから出力された右画像信号４４Ｒに基づく右表示画像７１Ｒとを、ステップＳ２で決定された間隔（位置関係）で液晶ディスプレイ７１に表示させる。
【００４４】
ステップＳ４で表示される左表示画像７１Ｌ及び右表示画像７１Ｒは、静止画でも動画でもよい。静止画の場合、制御部７４は、左撮像素子４３Ｌから順次に入力される左画像信号４４Ｌと、右撮像素子４３Ｒから順次に入力される右画像信号４４Ｒから、同時に入力された一対の左画像信号４４Ｌと右画像信号４４Ｒとを選択し、それらに基づく左表示画像７１Ｌと右表示画像７１Ｒとを液晶ディスプレイ７１に表示させる。動画の場合、制御部７４は、左撮像素子４３Ｌから順次に入力される左画像信号４４Ｌに基づくフレームを撮像レートに同期したフレームレートで表示させる処理と、右撮像素子４３Ｒから順次に入力される右画像信号４４Ｒに基づくフレームを撮像レートに同期したフレームレートで表示させる処理とを並行して実行する。
【００４５】
（Ｓ５：画像間隔の変更操作を行う）
検者は、左表示画像７１Ｌと右表示画像７１Ｒとの表示間隔を変更するためのタッチ操作を位置入力パネル７３に対して行う。位置入力パネル７３は、このタッチ操作に対応する操作信号を制御部７４に入力する。
【００４６】
（Ｓ６：左右の画像の間隔を変更する）
制御部７４は、ステップＳ５で入力された操作信号に基づいて、左表示画像７１Ｌと右表示画像７１Ｒとの表示間隔を変更する。
【００４７】
（Ｓ７：調整完了か？）
検者は、ステップＳ６で表示間隔が変更された左表示画像７１Ｌと右表示画像７１Ｒとを好適に立体視できない場合（Ｓ７：Ｎｏ）、ステップＳ５のタッチ操作を再度行う。この再度のタッチ操作を受けて、制御部７４は、ステップＳ６の表示間隔の変更を再度実行する。左表示画像７１Ｌと右表示画像７１Ｒとを好適に立体視できるようになるまで、ステップＳ５及びＳ６が繰り返し実行される（Ｓ７：Ｙｅｓ）。
【００４８】
（Ｓ８：立体観察を開始する）
左表示画像７１Ｌと右表示画像７１Ｒとを好適に立体視できる状態になったら（Ｓ７：Ｙｅｓ）、検者は、被検眼Ｅの立体観察を開始する。なお、ステップＳ４で表示された左表示画像７１Ｌ及び右表示画像７１Ｒが静止画である場合、検者は所定の操作を行うことにより、静止画表示を動画表示に切り替える。この所定の操作は、例えば、位置入力パネル７３に対する所定のタッチ操作であってよい。このタッチ操作は、例えば、液晶ディスプレイ７１に表示されているボタン（ソフトウェアキー）に対するタップ操作である。
【００４９】
［作用・効果］
実施形態の眼科顕微鏡システムの作用及び効果について説明する。
【００５０】
実施形態は、被検眼の画像を立体観察するための眼科顕微鏡システムを提供する。この眼科顕微鏡システムは、一対の受光光学系（例えば観察系６の左光学系６Ｌ及び右光学系６Ｒ）と、表示制御部（例えば制御部７４）と、選択提示部（例えば偏光フィルタ７２）とを備える。一対の受光光学系は、被検眼からの光をそれぞれの撮像素子（例えば左撮像素子４３Ｌ及び右撮像素子４３Ｒ）に導く。表示制御部は、一対の受光光学系における一対の撮像素子により取得された一対の画像を瞳孔間距離の既定値に対応する位置関係で表示手段（例えば液晶ディスプレイ７１）に表示させる。選択提示部は、一対の画像の一方を観察者の左眼（ＥＯＬ）に向けて提示し、かつ、一対の画像の他方を右眼（ＥＯＲ）に向けて提示するように作用する。
【００５１】
このような実施形態によれば、双眼顕微鏡により取得された左右一対の画像を瞳孔間距離の既定値に対応する間隔で表示させつつ、左右一対の画像をそれぞれ左眼と右眼とに表示させることができるので、複数のユーザがシステムを共用する場合であっても、ユーザ毎に接眼鏡筒を取り替える必要がない。
【００５２】
実施形態の眼科顕微鏡システムは、左右一対の画像の表示間隔を変更するための操作部（例えば位置入力パネル７３）を備えていてよい。表示制御部は、表示手段に表示された左右一対の画像の位置関係を操作部からの入力に応じて変更することができる。ここで、操作部は、表示手段と一体的に構成されたタッチパネルを含んでいてよい。
【００５３】
この構成によれば、左右一対の画像の表示間隔をユーザが任意に調整することができるので、被検眼の立体観察を好適に行うことが可能である。
【００５４】
実施形態において、選択提示部は、第１偏光フィルタ（例えば左偏光フィルタ７２Ｌ）と第２偏光フィルタ（例えば右偏光フィルタ７２Ｒ）とを含んでいてよい。第１偏光フィルタは、表示手段の表示面の第１領域（例えば左領域）に設けられ、第１偏光方向（例えば縦方向）の光を透過させる。第２偏光フィルタは、表示面の第２領域（例えば右領域）に設けられ、第１方向と異なる第２偏光方向（例えば横方向）の光を透過させる。表示制御部は、左右一対の画像の一方を第１領域に表示させ、かつ、一対の画像の他方を第２領域に表示させることができる。
【００５５】
この構成によれば、一対の画像をそれぞれ左眼と右眼に向けて提示するという選択提示部の機能を、偏光フィルタという簡易な構成で実現することが可能である。なお、この構成においては、観察者は、一対の偏光フィルタに対応する一対の偏光レンズを備えた装用具（例えば偏光メガネ９０）を使用する。この装用具は、選択提示部に含まれてもよいし、別途に準備されてもよい。
【００５６】
実施形態の眼科顕微鏡システムは、観察者の瞳孔間距離の測定値を記憶する記憶部（例えば記憶部７５）を備えていてよい。表示制御部は、この測定値に対応する距離だけ互いに離れた位置に左右一対の画像を表示させることができる。
【００５７】
この構成によれば、観察者の実際の瞳孔間距離に応じた位置関係で左右一対の画像を提示することができるので、観察者は、これら画像の立体視を容易に行うことが可能である。
【００５８】
実施形態において、記憶部は、観察者の識別情報（検者ＩＤ）とその瞳孔間距離の測定値とを関連付けて記憶していてよい。更に、実施形態の眼科顕微鏡システムは、観察者の識別情報を入力する入力部を備えていてよい。表示制御部は、入力部により入力された識別情報に関連付けられた測定値に対応する距離だけ互いに離れた位置に左右一対の画像を表示させることができる。
【００５９】
この構成によれば、左右一対の画像の表示位置を観察者毎に設定することができるので、観察者は、これら画像の立体視を容易に行うことが可能である。
【００６０】
［変形例］
本実施形態のいくつかの典型的な変形例を説明する。
【００６１】
本実施形態では、操作部である位置入力パネル７３を用いて左右の表示画像７１Ｌ及び７１Ｒの間隔を変更しているが、表示間隔を変更するための構成はこれに限定されない。例えば、ジョイスティック、ダイアル、ボタン等のハードウェアを用いて同様の操作を行うことが可能である。
【００６２】
本実施形態では、偏光フィルタ７２によって左右の表示画像７１Ｌ及び７１Ｒを立体視させているが、これは、一対の画像を異なる位置に提示して立体視を行わせる空間分割的方法の一例である。空間分割的方法の他の例として、左表示画像を表示するピクセル列と右表示画像を表示するピクセル列とを交互に配置する構成がある。また、一対の画像を異なるタイミングで提示して立体視を行わせる時分割的方法の例として、一対の画像を所定のレートで交互に切り替え表示するとともに、当該レートと同期して観察者の左視野と右視野とを交互に遮蔽する方法がある。ここで、左右の視野の交互遮蔽は、例えば、左右一対の液晶シャッタを備えた装用具によって実現される。
【００６３】
撮像素子４３は赤外線域に感度を有していてよい。それにより、不可視光（赤外光）を用いた立体観察が可能となるので、マイボーム腺のように赤外光での観察が適した部位・組織を立体観察することが可能である。また、被検眼の縮瞳を回避できるので、眼底観察等を好適に行うことが可能である。なお、照明系８は、可視光を発する光源と赤外光を発する光源とを別々に備えていてもよいし、可視光及び赤外光を含む光を発する光源と可視カットフィルタ（又は赤外カットフィルタ）とを備えていてもよい。或いは、可視観察専用又は赤外観察専用の眼科顕微鏡システムを構築することも可能である。
【００６４】
眼科顕微鏡システムの観察系（一対の受光光学系）は、立体撮影を行うための任意に構成を付加的に備えていてよい。例えば、左右の撮像素子を「輻輳」させた状態で双眼撮影を行うことが可能である。本実施形態の観察系６では、図７Ａに示すように、左右の撮像素子４３Ｌ及び４３Ｒの受光面は互いに平行である。すなわち、左撮像素子４３Ｌの受光面の法線方向と左観察光軸Ｏ１Ｌとが一致し、かつ、右撮像素子４３Ｒの受光面の法線方向と右観察光軸Ｏ１Ｒとが一致した状態で双眼撮影が実行される。
【００６５】
これに対し、図７Ｂに示すように、左撮像素子４３Ｌの受光面の法線方向と右撮像素子４３Ｒの受光面の法線方向とが被検眼側において交差するように、左撮像素子４３Ｌと右撮像素子４３Ｒとを互いに内方に傾けることができる。このとき、左撮像素子４３Ｌの受光面の法線方向と左観察光軸Ｏ１Ｌとがなす角度と、右撮像素子４３Ｒの受光面の法線方向と右観察光軸Ｏ１Ｒとがなす角度とは等しい（γ°）。この傾斜角度γ°は制御部７４によって変更可能とされる。本変形例によれば、提示される一対の画像の立体視の容易化を図ることができる。また、ユーザ毎に傾斜角度γ°を記憶しておき、入力された検者ＩＤに対応する傾斜角度γ°に設定するように制御を行うことも可能である。
【００６６】
以上、実施形態及び変形例として説明した構成は、この発明を実施するための一例に過ぎない。この発明を実施しようとする者は、この発明の要旨の範囲内における任意の変形（付加、省略、置換等）を行うことが可能である。
【符号の説明】
【００６７】
１  眼科顕微鏡システム
６  観察系
８  照明系
４３  撮像素子
４３Ｌ  左撮像素子
４３Ｒ  右撮像素子
７１  液晶ディスプレイ
７２  偏光フィルタ
７３  位置入力パネル
７４  制御部
【図１】
2019107552.tif 000003
【図２】
2019107552.tif 000004
【図３】
2019107552.tif 000005
【図４】
2019107552.tif 000006
【図５】
2019107552.tif 000007
【図６】
2019107552.tif 000008
【図７Ａ】
2019107552.tif 000009
【図７Ｂ】
2019107552.tif 000010